【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
方法であって、
エンコーダにおいてオーディオ信号を受信することと、
前記エンコーダにおいて、前記オーディオ信号のハイバンド部分の第１の成分に対応する第１の信号を生成すること、ここで、前記第１の成分が第１の周波数範囲を有する、と、
前記エンコーダにおいて、前記オーディオ信号の前記ハイバンド部分の第２の成分に対応するハイバンド励起信号を生成するために、ローバンド励起信号に基づいて変換演算を実行すること、ここで、前記第２の成分が前記第１の周波数範囲に対して不一致である第２の周波数範囲を有する、と、
前記オーディオ信号の前記ハイバンド部分との比較のために前記オーディオ信号の前記ハイバンド部分の合成バージョンを生成するために、前記第１の信号に基づいて生成されたフィルタ係数を有するフィルタに前記ハイバンド励起信号を与えることと、
ワイヤード、ワイヤレス、または光チャネル上での送信のために出力ビットストリームを生成すること、ここで、前記出力ビットストリームが、多重化演算に基づき、前記オーディオ信号に対応する符号化オーディオ信号を表す、と、
を備える、方法。
【請求項２】
前記第１の周波数範囲が、第１の周波数から第２の周波数にわたる第１の周波数バンドに対応し、前記第２の周波数範囲が、前記第２の周波数と前記第１の周波数との差から前記オーディオ信号の前記ハイバンド部分の上側周波数にわたる第２の周波数バンドに対応する、請求項１に記載の方法。
【請求項３】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項１に記載の方法。
【請求項４】
前記ハイバンド励起信号を生成することが、
前記エンコーダのハイバンド励起信号生成経路において、ローバンドエンコーダによって生成された前記ローバンド励起信号を受信することと、
アップサンプリングされた信号を生成するために前記ローバンド励起信号をアップサンプリングすることと
を含む、請求項１に記載の方法。
【請求項５】
前記ハイバンド励起信号を生成することが、
バンド幅拡張信号を生成するために前記アップサンプリングされた信号に対して非線形変換演算を実行することと、
反転されたスペクトル信号を生成するために前記バンド幅拡張信号に対してスペクトル反転演算を実行することと
をさらに含む、請求項４に記載の方法。
【請求項６】
前記ハイバンド励起信号を生成することが、前記反転されたスペクトル信号をローパスフィルタ処理することをさらに含む、請求項５に記載の方法。
【請求項７】
前記第１の信号を前記生成することと、前記ハイバンド励起信号を前記生成することと、前記フィルタに前記ハイバンド励起信号を前記与えることとが、モバイルデバイスを備えるデバイス内で実行される、請求項１に記載の方法。
【請求項８】
装置であって、
エンコーダのベースバンド信号生成経路における第１の回路、ここで、前記第１の回路がオーディオ信号のハイバンド部分の第１の成分に対応する第１の信号を生成するように構成され、前記第１の成分が第１の周波数範囲を有する、と、
前記エンコーダのハイバンド励起信号生成経路における第２の回路、ここで、前記第２の回路が前記オーディオ信号の前記ハイバンド部分の第２の成分に対応するハイバンド励起信号を生成するために、ローバンド励起信号に基づいて変換演算を実行するように構成され、前記第２の成分が前記第１の周波数範囲に対して不一致である第２の周波数範囲を有する、と、
前記第１の信号に基づいて生成されたフィルタ係数を有するフィルタ、ここで、前記フィルタは、
前記ハイバンド励起信号を受信することと、
前記オーディオ信号の前記ハイバンド部分との比較のために前記オーディオ信号の前記ハイバンド部分の合成バージョンを生成することと、
を行うように構成される、と、
ワイヤード、ワイヤレス、または光チャネル上での送信のために出力ビットストリームを与えるように構成された出力、ここで、前記出力ビットストリームが、多重化演算に基づき、前記オーディオ信号に対応する符号化オーディオ信号を表す、と、
を備える、装置。
【請求項９】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項８に記載の装置。
【請求項１０】
前記第２の回路は、
ローバンドエンコーダによって生成された前記ローバンド励起信号を受信することと、
アップサンプリングされた信号を生成するために前記ローバンド励起信号をアップサンプリングすることと、
を行うように構成された、請求項８に記載の装置。
【請求項１１】
前記第２の回路は、
バンド幅拡張信号を生成するために前記アップサンプリングされた信号に対して非線形変換演算を実行することと、
反転されたスペクトル信号を生成するために前記バンド幅拡張信号に対してスペクトル反転演算を実行することと、
を行うようにさらに構成された、請求項１０に記載の装置。
【請求項１２】
前記第２の回路が前記反転されたスペクトル信号に対してローパスフィルタ演算を実行するようにさらに構成された、請求項１１に記載の装置。
【請求項１３】
前記第１の周波数範囲が第１の周波数から第２の周波数にわたる第１の周波数バンドに対応し、前記第２の周波数範囲が前記第２の周波数と前記第１の周波数との差から前記オーディオ信号の前記ハイバンド部分の上側周波数にわたる第２の周波数バンドに対応し、前記装置が前記エンコーダを含むボコーダをさらに備える、請求項８に記載の装置。
【請求項１４】
アンテナに結合され、前記オーディオ信号に対応する信号を受信するように構成された受信機をさらに備え、前記第１の回路、前記第２の回路、前記フィルタ、および前記受信機が、モバイルデバイスに組み込まれる、請求項８に記載の装置。
【請求項１５】
前記第１の回路、前記第２の回路、および前記フィルタが、固定ロケーションユニットに組み込まれる、請求項８に記載の装置。
【請求項１６】
非一時的コンピュータ可読媒体であって、
エンコーダによって実行されたとき、前記エンコーダに、
受信されたオーディオ信号のハイバンド部分の第１の成分に対応する第１の信号を生成すること、ここで、前記第１の成分が第１の周波数範囲を有する、と、
前記受信されたオーディオ信号の前記ハイバンド部分の第２の成分に対応するハイバンド励起信号を生成するために、ローバンド励起信号に基づいて変換演算を実行すること、ここで、前記第２の成分が前記第１の周波数範囲に対して不一致である第２の周波数範囲を有する、と、
前記オーディオ信号の前記ハイバンド部分との比較のために前記受信されたオーディオ信号の前記ハイバンド部分の合成バージョンを生成するために、前記第１の信号に基づいて生成されたフィルタ係数を有するフィルタに前記ハイバンド励起信号を与えることと、
ワイヤード、ワイヤレス、または光チャネル上での送信のために出力ビットストリームを与えること、ここで、前記出力ビットストリームが、多重化演算に基づき、前記オーディオ信号に対応する符号化オーディオ信号を表す、と、
を行わせる命令を備える、非一時的コンピュータ可読媒体。
【請求項１７】
装置であって、
オーディオ信号のハイバンド部分の第１の成分に対応する第１の信号を生成するための手段、ここで、前記第１の成分が第１の周波数範囲を有する、と、
前記オーディオ信号の前記ハイバンド部分の第２の成分に対応するハイバンド励起信号を生成するために、ローバンド励起信号に基づいて変換演算を実行するための手段、ここで、前記第２の成分が前記第１の周波数範囲に対して不一致である第２の周波数範囲を有する、と、
前記オーディオ信号の前記ハイバンド部分との比較のために前記オーディオ信号の前記ハイバンド部分の合成バージョンを生成するための手段、ここにおいて、実行するための前記手段が、前記ハイバンド励起信号を受信するように構成され、前記第１の信号に基づいて生成されたフィルタ係数を有する、と、
ワイヤード、ワイヤレス、または光チャネル上での送信のために出力ビットストリームを与えるための手段、ここで、前記出力ビットストリームが、多重化演算に基づき、前記オーディオ信号に対応する符号化オーディオ信号を表す、と、
を備える、装置。
【請求項１８】
前記第１の周波数範囲が第１の周波数から第２の周波数にわたる第１の周波数バンドに対応し、前記第２の周波数範囲が前記第２の周波数と前記第１の周波数との差から前記オーディオ信号の前記ハイバンド部分の上側周波数にわたる第２の周波数バンドに対応し、前記第１の信号を生成するための前記手段と、実行するための前記手段と、前記合成バージョンを生成するための前記手段とが、モバイルデバイスに組み込まれる、請求項１７に記載の装置。
【請求項１９】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項１７に記載の装置。
【請求項２０】
方法であって、
デコーダにおいてオーディオ信号の符号化バージョンを受信すること、ここにおいて、前記オーディオ信号の前記符号化バージョンが前記オーディオ信号のローバンド部分に対応する第１のデータと前記オーディオ信号のハイバンド部分の第１の成分に対応する第２のデータとを含み、前記第１の成分が第１の周波数範囲を有する、と、
前記デコーダにおいて、前記第１のデータに基づいてハイバンド励起信号を生成するために、ローバンド励起信号に基づいて変換演算を実行すること、ここで、前記ハイバンド励起信号が前記オーディオ信号の前記ハイバンド部分の第２の成分に対応し、前記第２の成分が前記第１の周波数範囲に対して不一致である第２の周波数範囲を有する、と、
前記オーディオ信号の前記ハイバンド部分の合成バージョンを生成するために前記第２のデータに基づいて生成されたフィルタ係数を有するフィルタに前記ハイバンド励起信号を与えることと、
少なくとも１つの出力ビットストリームに対応する合成オーディオ信号を生成すること、ここで、前記少なくとも１つの出力ビットストリームが、前記オーディオ信号の前記ローバンド部分の復号バージョンと前記合成バージョンとの組み合わせに基づいて生成され、前記合成オーディオ信号が、前記オーディオ信号に対応する復号オーディオ信号を表す、と、
を備える、方法。
【請求項２１】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項２０に記載の方法。
【請求項２２】
前記ハイバンド励起信号を生成することが、
前記デコーダのハイバンド励起信号生成経路において、前記ローバンド励起信号を受信することと、
アップサンプリングされた信号を生成するために前記ローバンド励起信号をアップサンプリングすることと、
を含む、請求項２０に記載の方法。
【請求項２３】
前記ハイバンド励起信号を生成することが、
バンド幅拡張信号を生成するために前記アップサンプリングされた信号に対して非線形変換演算を実行することと、
反転されたスペクトル信号を生成するために前記バンド幅拡張信号に対してスペクトル反転演算を実行することと、
をさらに含む、請求項２２に記載の方法。
【請求項２４】
前記ハイバンド励起信号を生成することが、前記反転されたスペクトル信号をローパスフィルタ処理することをさらに含む、請求項２３に記載の方法。
【請求項２５】
前記第１の周波数範囲が第１の周波数から第２の周波数にわたる第１の周波数バンドに対応し、前記第２の周波数範囲が前記第２の周波数と前記第１の周波数との差から前記オーディオ信号の前記ハイバンド部分の上側周波数にわたる第２の周波数バンドに対応する、請求項２０に記載の方法。
【請求項２６】
デコーダであって、
ハイバンド励起信号生成経路における回路、ここで、前記回路がハイバンド励起信号を生成するために、ローバンド励起信号に基づいて変換演算を実行するように構成され、前記ハイバンド励起信号を生成することが、オーディオ信号のローバンド部分に対応する第１のデータに基づき、前記オーディオ信号が、前記第１のデータを含み、前記オーディオ信号のハイバンド部分の第１の成分に対応する第２のデータをさらに含む、受信された符号化オーディオ信号に対応し、前記第１の成分が第１の周波数範囲を有し、前記ハイバンド励起信号が前記オーディオ信号の前記ハイバンド部分の第２の成分に対応し、前記第２の成分が前記第１の周波数範囲に対して不一致である第２の周波数範囲を有する、と、
前記ハイバンド励起信号を受信するように構成され、前記第２のデータに基づいて生成されたフィルタ係数を有するフィルタ、ここにおいて、前記フィルタが前記オーディオ信号の前記ハイバンド部分の合成バージョンを生成するように構成された、と、
少なくとも１つの出力ビットストリームに対応する合成オーディオ信号を与えるように構成された出力、ここで、前記少なくとも１つの出力ビットストリームが、前記オーディオ信号の前記ローバンド部分の復号バージョンと前記合成バージョンとの組み合わせに基づいて生成され、前記合成オーディオ信号が、前記オーディオ信号に対応する復号オーディオ信号を表す、と、
を備える、デコーダ。
【請求項２７】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項２６に記載のデコーダ。
【請求項２８】
前記回路が、
前記ローバンド励起信号を受信することと、
アップサンプリングされた信号を生成するために前記ローバンド励起信号をアップサンプリングすることと、
を行うように構成された、請求項２６に記載のデコーダ。
【請求項２９】
前記回路が、
バンド幅拡張信号を生成するために前記アップサンプリングされた信号に対して非線形変換演算を実行することと、
反転されたスペクトル信号を生成するために前記バンド幅拡張信号に対してスペクトル反転演算を実行することと、
を行うようにさらに構成された、請求項２８に記載のデコーダ。
【請求項３０】
前記回路が前記反転されたスペクトル信号に対してローパスフィルタ演算を実行するようにさらに構成された、請求項２９に記載のデコーダ。
【請求項３１】
前記第１の周波数範囲が第１の周波数から第２の周波数にわたる第１の周波数バンドに対応し、前記第２の周波数範囲が前記第２の周波数と前記第１の周波数との差から前記オーディオ信号の前記ハイバンド部分の上側周波数にわたる第２の周波数バンドに対応する、請求項２６に記載のデコーダ。
【請求項３２】
ハイバンド励起信号を生成するために、ローバンド励起信号に基づいて変換演算を実行するための手段、ここにおいて、前記ハイバンド励起を生成することが、オーディオ信号のローバンド部分に対応する第１のデータに基づき、前記オーディオ信号が、前記第１のデータを含み、前記オーディオ信号のハイバンド部分の第１の成分に対応する第２のデータをさらに含む、受信された符号化オーディオ信号に対応し、実行するための前記手段が、反転されたスペクトル信号をフィルタ処理するローパスを含むリサンプリングプロセスを実行するように構成され、前記第１の成分が第１の周波数範囲を有し、前記ハイバンド励起信号が前記オーディオ信号の前記ハイバンド部分の第２の成分に対応し、前記第２の成分が前記第１の周波数範囲に対して不一致である第２の周波数範囲を有する、と、
前記オーディオ信号の前記ハイバンド部分の合成バージョンを生成するための手段、ここにおいて、前記合成バージョンを生成するための前記手段が、前記ハイバンド励起信号を受信するように構成され、前記第２のデータに基づいて生成されたフィルタ係数を有する、と、
少なくとも１つの出力ビットストリームに対応する合成オーディオ信号を与えるための手段、ここで、前記少なくとも１つの出力ビットストリームが、前記オーディオ信号の前記ローバンド部分の復号バージョンと前記合成バージョンとの組み合わせに基づいて生成され、前記合成オーディオ信号が、前記オーディオ信号に対応する復号オーディオ信号を表す、と、
を備える、装置。
【請求項３３】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項３２に記載の装置。
【請求項３４】
前記第１の周波数範囲が第１の周波数から第２の周波数にわたる第１の周波数バンドに対応し、前記第２の周波数範囲が前記第２の周波数と前記第１の周波数との差から前記オーディオ信号の前記ハイバンド部分の上側周波数にわたる第２の周波数バンドに対応する、請求項３２に記載の装置。
【請求項３５】
デコーダ内のプロセッサによって実行されたとき、前記プロセッサに、
オーディオ信号の符号化バージョンを受信すること、ここにおいて、前記符号化バージョンが前記オーディオ信号のローバンド部分に対応する第１のデータと前記オーディオ信号のハイバンド部分の第１の成分に対応する第２のデータとを含み、前記第１の成分が第１の周波数範囲を有する、と、
ハイバンド励起信号を生成するために、ローバンド励起信号に基づいて変換演算を実行すること、ここにおいて、前記ハイバンド励起を生成することが、前記第１のデータに基づき、前記ハイバンド励起信号が前記オーディオ信号の同じハイバンド部分の第２の成分に対応し、前記第２の成分が前記第１の周波数範囲に対して不一致である第２の周波数範囲を有する、と、
前記オーディオ信号の前記ハイバンド部分の合成バージョンを生成するために前記第２のデータに基づいて生成されたフィルタ係数を有するフィルタに前記ハイバンド励起信号を与えることと、
少なくとも１つの出力ビットストリームに対応する合成オーディオ信号を与えること、ここで、前記少なくとも１つの出力ビットストリームが、前記オーディオ信号の前記ローバンド部分の復号バージョンと前記合成バージョンとの組み合わせに基づいて生成され、前記合成オーディオ信号が、前記オーディオ信号に対応する復号オーディオ信号を表す、と、
を行わせる命令を備える、非一時的コンピュータ可読媒体。
【請求項３６】
前記第１の周波数範囲が約６．４キロヘルツ（ｋＨｚ）から約１４．４ｋＨｚにわたる第１の周波数バンドに対応し、前記第２の周波数範囲が約８ｋＨｚから約１６ｋＨｚにわたる第２の周波数バンドに対応する、請求項３５に記載の非一時的コンピュータ可読媒体。